(57)【要約】【課題】センサに異物が付着することを抑制する。【解決手段】回転操作装置１０であって、開口部９０を有するパネル９１と、パネル９１の面に沿う方向の回転軸９２を有し、開口部９０から全周のうちの一部が露出して回転操作可能とされる回転操作部１２と、回転操作部１２の回転角度に連動して変位する被検出部３０と、被検出部３０の変位量を検知して、変位量に応じた信号を出力するフォトインタラプタ８５と、開口部９０とフォトインタラプタ８５との間に設けられて、開口部９０とフォトインタラプタ８５との間を仕切る保持部側仕切り壁５３及びパネル側仕切り壁９３と、を備える。【選択図】図２
2017130265.tif 000002
【特許請求の範囲】
【請求項１】
開口部を有するパネルと、
前記パネルの面に沿う方向の回転軸を有し、前記開口部から全周のうちの一部が露出して回転操作可能とされる回転操作部と、
前記回転操作部の回転角度に連動して変位する被検出部と、
前記被検出部の変位量を検知して、前記変位量に応じた信号を出力するセンサと、
前記開口部と前記センサとの間に設けられて、前記開口部と前記センサとの間を仕切る仕切り壁と、
を備える回転操作装置。
【請求項２】
前記パネルには、前記パネルから延出されたパネル側仕切り壁が設けられている、請求項１に記載の回転操作装置。
【請求項３】
前記被検出部を変位可能に保持する保持部を有し、
前記保持部には、前記保持部から延出された保持部側仕切り壁が設けられている、請求項１または請求項２に記載の回転操作装置。
【請求項４】
前記パネルには、前記パネルから延出されたパネル側仕切り壁が設けられており、
前記パネル側仕切り壁と、前記保持部側仕切り壁とは、少なくとも一部がオーバーラップして配されている、請求項３に記載の回転操作装置。
【請求項５】
前記保持部には、前記保持部側仕切り壁よりも前記開口部寄りの位置に、前記開口部から侵入した異物を排出する排出口が、前記開口部の開口方向と反対方向に開口している、請求項３または請求項４に記載の回転操作装置。
【請求項６】
前記被検出部は、前記回転操作部に対して同軸で固定されて、前記回転操作部の回転角度に連動して回転する、請求項１ないし請求項５のいずれか一項に記載の回転操作装置。
【発明の詳細な説明】
【技術分野】
【０００１】
本明細書に開示された技術は、回転操作装置に関する。
【背景技術】
【０００２】
従来、車両の操作パネルに取り付けられた回転操作装置として、特開２００７−１３４２８０号公報に記載のものが知られている。この回転操作装置は、操作パネルの操作面上に設けられている。操作パネルには開口部が設けられており、この開口部からは、回転操作部の一部が露出している。回転操作部は、操作パネルの操作面に沿う方向の回転軸を有し、この回転軸を中心にして回転可能に設けられている。操作パネルの内側には、回転操作部の回転動作を検知するセンサが設けられている。
【先行技術文献】
【特許文献】
【０００３】
【特許文献１】特開２００７−１３４２８０号公報
【発明の概要】
【発明が解決しようとする課題】
【０００４】
しかしながら、上記の構成によると、回転操作部の一部を操作パネルから露出させるために、操作パネルには開口部を設ける必要がある。そして、回転操作部を回転させるためには、開口部の開口面積を比較的広く設ける必要がある。このため、開口部から、埃や、水等の異物が、操作パネル内に侵入することが懸念される。上記の異物が、回転操作部の回転動作を検出するセンサにまで達し、検出部に付着すると、センサが誤検知をする恐れがある。
【０００５】
本明細書に開示された技術は上記のような事情に基づいて完成されたものであって、センサに異物が付着することを抑制することを目的とする。
【課題を解決するための手段】
【０００６】
本明細書に開示された技術は、回転操作装置であって、開口部を有するパネルと、前記パネルの面に沿う方向の回転軸を有し、前記開口部から全周のうちの一部が露出して回転操作可能とされる回転操作部と、前記回転操作部の回転角度に連動して変位する被検出部と、前記被検出部の変位量を検知して、前記変位量に応じた信号を出力するセンサと、前記開口部と前記センサとの間に設けられて、前記開口部と前記センサとの間を仕切る仕切り壁と、を備える。
【０００７】
上記の構成によれば、開口部とセンサとの間には仕切り壁が設けられているので、開口部からパネル内に侵入した異物は、仕切り壁によって遮られて、センサにまで到達することが抑制される。これにより、センサに異物が付着することを抑制することができる。
【０００８】
本明細書に開示された技術の実施態様としては以下の態様が好ましい。
【０００９】
前記パネルには、前記パネルから延出されたパネル側仕切り壁が設けられていることが好ましい。
【００１０】
上記のパネル側仕切り壁によって、異物がセンサに付着することを抑制することができる。
【００１１】
前記被検出部を変位可能に保持する保持部を有し、前記保持部には、前記保持部から延出された保持部側仕切り壁が設けられていることが好ましい。
【００１２】
上記の保持部側仕切り壁によって、異物がセンサに付着することを抑制することができる。
【００１３】
前記パネルには、前記パネルから延出されたパネル側仕切り壁が設けられており、前記パネル側仕切り壁と、前記保持部側仕切り壁とは、少なくとも一部がオーバーラップして配されていることが好ましい。
【００１４】
上記の構成によれば、パネル側仕切り壁と、保持部側仕切り壁とが、オーバーラップして配された部分においては、開口部からセンサに至る経路が入り組んだ構造になっている。これにより、異物がセンサに付着することを確実に抑制することができる。
【００１５】
前記保持部には、前記保持部側仕切り壁よりも前記開口部寄りの位置に、前記開口部から侵入した異物を排出する排出口が、前記開口部の開口方向と反対方向に開口していることが好ましい。
【００１６】
上記の構成によれば、開口部から侵入した異物は、保持部側仕切り壁によってセンサへ到達することが抑制された後、排出口から排出される。これにより、開口部から侵入した異物が、保持部側仕切り壁の近傍に蓄積されることが抑制される。
【００１７】
前記被検出部は、前記回転操作部に対して同軸で固定されて、前記回転操作部の回転角度に連動して回転することが好ましい。
【００１８】
上記の構成によれば、被検出部は、回転操作部に対して同軸で固定されており、回転操作部から被検出部に回転を伝達するためのギヤを設ける必要がないため、装置の構成を簡素化することができる。
【発明の効果】
【００１９】
本明細書に開示された技術によれば、センサに異物が付着することを抑制することができる。
【図面の簡単な説明】
【００２０】
【図１】実施形態１に係る回転操作装置を示す平面図
【図２】図１におけるＩＩ−ＩＩ線断面図
【図３】図１におけるＩＩＩ−ＩＩＩ線断面図
【図４】図２におけるＩＶ−ＩＶ線断面図
【図５】図２におけるＶ−Ｖ線断面図
【図６】回転操作装置を示す分解斜視図
【図７】図６とは異なる方向から見た、回転操作装置を示す分解斜視図
【図８】パネルを示す底面図
【図９】保持部を示す斜視図
【図１０】保持部を示す平面図
【図１１】保持部を示す正面図
【図１２】保持部を示す側面
【発明を実施するための形態】
【００２１】
＜実施形態１＞
実施形態１について、図１〜図１２を参照して説明する。本実施形態の回転操作装置１０は、例えば、自動車等の車両（図示せず）のインストゥルメントパネル（図示せず）に固定される。回転操作装置１０のパネル９１には、２つの長方形状の開口部９０が貫通形成されている。この開口部９０から露出した回転操作部１２を乗員が回転操作することにより、例えばエアコンディショナーの風量や温度、オーディオ機器の音量の調整等が可能とされている。回転操作装置１０は任意の向きで配置できるが、以下では、Ｘ方向を右方、Ｙ方向を前方、Ｚ方向を上方として説明する。なお、以下の説明で用いる上下、左右、前後の方向は、説明の便宜のために用いるのであって、回転操作装置１０が車両に配された状態における現実の方向を限定するものではない。
【００２２】
（パネル９１）
パネル９１は図示しないインストゥルメントパネルに、パネル９１の板面が実質的に鉛直方向に立ち上がった姿勢で配されている。実質的に鉛直方向に立ち上がった姿勢とは、パネル９１の板面が鉛直方向に沿って配された場合を含み、また、パネル９１の板面が鉛直方向に沿って配されていなくても、実質的に鉛直方向に立ち上がった姿勢と認定され得る程度に立ち上がった姿勢を含む。
【００２３】
なお、パネル９１は、パネル９１の板面が鉛直方向に対して傾いた姿勢に配されていてもよい。また、パネルは、パネル９１の板面が実質的に水平な姿勢で配されていてもよい。なお、実質的に水平とは、パネル９１の板面が水平に配されている場合を含み、また、パネル９１の板面が水平に配されていなくても、実質的に水平と認定され得る程度に寝かされた配置を含む。
【００２４】
（回転操作装置１０）
回転操作装置１０は、図１及び図２に示すように、パネル９１と、複数（本実施形態では２つ）の回転体１１と、各回転体１１と同軸に固定された複数（本実施形態では２つ）の被検出部３０と、を備えている。
【００２５】
（回転体１１）
複数の回転体１１は、同一形状である。複数の回転体１１は、乗員の指先で外周面を回転操作する円板状の回転操作部１２と、回転操作部１２に連動して回転する波形筒部１４と、回転操作部１２と波形筒部１４との各中心部を通る軸部１９と、を備えている。
【００２６】
（回転操作部１２）
回転操作部１２は、軸部１９の軸方向と直交する方向に張り出し、波形筒部１４よりも外径が大きく形成されている。回転操作装置１０がパネル９１に装着された際には、回転操作部１２の外周の全周のうちの一部が開口部９０から露出する。回転操作部１２は、軸部１９と一体に形成されて軸部１９の径方向に張り出すフランジ部１２Ａを外装体１２Ｂで覆って構成されている。本実施形態では、外装体１２Ｂは金属製であり、回転体１１における外装体１２Ｂ以外の部分は、合成樹脂製とされているが、これに限られず、他の材料を用いてもよい。
【００２７】
（波形筒部１４）
波形筒部１４は、軸部１９の軸方向と直交する方向に張り出して形成されている。波形筒部１４は、外周面が波状面１５とされている。波状面１５は、緩やかに傾斜する凸部と凹部が交互に形成されている。
【００２８】
軸部１９には、挿通孔２０が回転軸９２の延びる方向に貫通形成されている。挿通孔２０の断面形状は、円形状とされているが、これに限られず、例えば多角形状としてもよい。
【００２９】
（被検出部３０）
複数の被検出部３０は、例えば合成樹脂製であって、同一形状に形成されている。複数の被検出部３０は、挿通孔２０に挿通される挿通部３１と、挿通部３１の端部側から外方に張り出す検出羽根部３８とを備えている。
【００３０】
挿通部３１は、挿通孔２０の内壁に密着している。挿通部３１と、軸部１９とは、接着や、弾性的なロック構造等、公知の手法により一体に組み付けられている。これにより、軸部１９と被検出部３０との間について相対的な回転が規制されるようになっている。
【００３１】
検出羽根部３８は、円板状であって、外周縁部には、回路基板８０に実装されたフォトインタラプタ８５の光を遮光する遮光突部４０を備えている。隣り合う遮光突部４０の隙間は、フォトインタラプタ８５の光を透過するスリット４１とされている。
【００３２】
（保持部５０）
図９〜図１２に示すように、保持部５０は、例えば合成樹脂製であって、回転操作部１２の下部が下方から覆われる回転操作部カバー５１と、弾性付勢部７０を収容する筒状部５５と、回転体１１の離脱を規制する内側離脱規制片６３Ａと、外側離脱規制片６３Ｂとを備えている。
【００３３】
回転操作部カバー５１は、保持部５０の底壁５０Ａを、回転操作部１２の外形に応じて、下方に半円形状に膨出して形成されている。回転操作部カバー５１によって、下方から異物が侵入することが抑制されるようになっている。
【００３４】
筒状部５５は、図２に示すように、弾性付勢部７０を収容可能な有底の円筒形状とされている。弾性付勢部７０は、バネ７１と、金属のボール７２と、ボール７２を保持する合成樹脂製のボール保持部材７３と、を備えている。波形筒部１４が回転すると、ボール保持部材７３が下方からバネ７１で付勢されているため、波状面１５に摺動したボール７２は上下に振動する。
【００３５】
内側離脱規制片６３Ａと、外側離脱規制片６３Ｂとは、各回転体１１のそれぞれに対して１つずつ設けられている。内側離脱規制片６３Ａと、外側離脱規制片６３Ｂとは、保持部５０の底壁５０Ａから上方に起立している。内側離脱規制片６３Ａは、左右方向について内側に位置しており、外側離脱規制片６３Ｂは左右方向について外側に位置している。
【００３６】
内側離脱規制片６３Ａは、左右方向に撓み変形可能なＵ字状の形状とされており、先端部には、係止爪部６４が回転体１１側に突出している。係止爪部６４は、上方に向かうに従って先細り形状に形成されている。
【００３７】
外側離脱規制片６３Ｂは、左右方向に撓み変形可能な板状に形成されており、上方に向かうに従って先細り形状に形成されている。外側離脱規制片６３Ｂには、左右方向に貫通する軸受孔６５が形成されている。軸受孔６５の孔縁部は左右方向から見て円形状に形成されている。軸受孔６５の内径寸法は、軸部１９を挿通可能であって、軸部１９が回転可能な寸法に設定されている。これにより軸受孔６５が、軸部１９の軸受けとして機能するようになっている。軸受孔６５の内径寸法は、軸部１９の外形寸法と同じか、やや大きく設定されている。
【００３８】
図６に示すように、保持部５０の底壁５０Ａから上方に突出する起立壁５２が、外側離脱規制片６３Ｂと、後述する保持部側仕切り壁５３との間に係止されている。起立壁５２の上端部は、前後方向の中央付近が下方に陥没した軸受け凹部５４とされている。この軸受け凹部５４に軸部１９が載置されることにより、起立壁５２が軸部の軸受けとして機能するようになっている。
【００３９】
保持部５０に回転体１１を組み付ける際には、軸部１９の回転軸９２を左右方向に向けた姿勢で、回転体１１を、内側離脱規制片６３Ａと外側離脱規制片６３Ｂとの間に、上方から嵌め入れる。軸部１９の回転軸９２の方向の両端部が内側離脱規制片６３Ａと外側離脱規制片６３Ｂとに当接することにより、内側離脱規制片６３Ａと外側離脱規制片６３Ｂとが撓み変形する。更に、軸部１９を下方に押し入れると、軸部１９が、軸受け凹部５４、及び、後述する保持部側凹部５６に載置されると共に、軸受孔６５の内部に挿通される。すると、内側離脱規制片６３Ａと外側離脱規制片６３Ｂとが復元変形し、係止爪部６４が軸部１９の上方への抜け止めをするとともに、軸受孔６５の孔縁部が、軸部１９の上方への抜け止めをするようになっている（図６参照）。
【００４０】
保持部５０の裏面側には、撓み変形可能な複数の基板係止部６７が形成されており、保持部５０の裏面側に配された回路基板８０が基板係止部６７に係止されることで回路基板８０が保持部５０に固定される（図７参照）。
【００４１】
（回路基板８０）
回路基板８０には、プリント配線技術によって銅箔等の導電路（図示せず）が形成されている。回路基板８０には、回転操作部カバー５１及び筒状部５５が通される保持部通し孔８１と、基板係止部６７を通す係止部通し孔８２が貫通形成されている。また、回路基板８０の導電路には、図２に示すように、一対のフォトインタラプタ８５（センサの一例）が半田付け等により実装されている。
【００４２】
フォトインタラプタ８５は、投光素子（図示せず）と受光素子（図示せず）とが対向配置された透過型フォトセンサであって、投光素子と受光素子を１つのパッケージに対向配置し、投光素子から投光された光が受光素子によって受光されたか否かを検知し、受光素子による受光の有無に応じた信号を出力するものである。
【００４３】
検出羽根部３８の回転角度（回転量）に応じて遮光突部４０による遮光とスリット４１による透過が交互に繰り返されるため、フォトインタラプタ８５は、検出羽根部３８の回転角度（回転操作部１２の回転量）を検知し、この回転角度に応じた信号を出力する。そして、フォトインタラプタ８５から出力される信号により、車載電装品等の調整が行われる。
【００４４】
（パネル側仕切り壁９３）
図２及び図８に示すように、パネル９１の下面には、パネル９１に開口部９０が形成された部分と、保持部５０のフォトインタラプタ８５との間の位置に、下方に延びて形成された２つのパネル側仕切り壁９３（仕切り壁の一例）が設けられている。換言すると、パネル側仕切り壁９３は、パネル９１の下面から、保持部５０に向かって延びて形成されている。このパネル側仕切り壁９３により、開口部９０とフォトインタラプタ８５との間が仕切られている。
【００４５】
図８に示すように、２つのパネル側仕切り壁９３の前後両端部は、パネル９１の下面から下方に延びると共に、左右方向に延びて形成された２つのパネル側連結壁９４によって連結されている。パネル側連結壁９４の下端部は、上方に引っ込んで形成されており、後述する保持部側連結壁５７と干渉しないようになっている。
【００４６】
図４に示すように、パネル側仕切り壁９３は、左右方向から見て略長方形状に形成されている。図７に示すように、パネル側仕切り壁９３の下端部には、前後方向の中央付近が上方に引っ込んだ形状にパネル側凹部９５が形成されている。これにより、パネル側仕切り壁９３と、軸部１９とが干渉することが回避されている。パネル側仕切り壁９３の下端部は、軸部１９の下端部よりも下方にまで延びて形成されている。
【００４７】
（保持部側仕切り壁５３）
図２に示すように、パネル側仕切り壁９３よりも被検出部３０側の位置には、保持部５０の上面から上方に突出した保持部側仕切り壁５３（仕切り壁の一例）が形成されている。保持部側仕切り壁５３は、略長方形状に形成されている。図５に示すように、保持部側仕切り壁５３の上端部は、前後方向の中央付近が下方に陥没した形状に保持部側凹部５６が形成されている。この保持部側凹部５６に軸部１９が載置されることにより、保持部側仕切り壁５３が軸部１９の軸受けとして機能するようになっている。保持部側仕切り壁５３の上端部は、軸部１９の上端部よりも上方にまで延出されている。この保持部側仕切り壁５３により、開口部９０とフォトインタラプタ８５との間が仕切られている。
【００４８】
保持部５０の底壁５０Ａには、上方に突出するとともに、左右方向に延びて形成された、２つの保持部側連結壁５７によって、２つの保持部側仕切り壁５３の前後両端部が連結されている。保持部側仕切り壁５３の、保持部５０の底壁５０Ａからの突出高さ寸法は、保持部側仕切り壁５３の、保持部５０の底壁５０Ａからの突出高さ寸法と同じに設定されている。２つの保持部側仕切り壁５３と、２つの保持部側連結壁５７とによって、上方に開口する箱状の空間が形成されており、この空間内に、２つの被検出部３０が配されている。
【００４９】
（オーバーラップ構造）
図２〜図４に示すように、パネル側仕切り壁９３の一部と、保持部側仕切り壁５３の一部とは、左右方向についてオーバーラップして配されている。詳細には、パネル側仕切り壁９３のうちパネル側凹部９５を除く部分と、保持部側仕切り壁５３のうち保持部側凹部５６を除く部分とが、左右方向についてオーバーラップしている。
【００５０】
保持部５０とパネル９１とが組み付けられた状態において、保持部側仕切り壁５３と、保持部側連結壁５７とに囲まれた箱状の空間は、パネル側仕切り壁９３と、パネル側連結壁９４と、パネル９１によって、上方から塞がれた状態になっている。このように、保持部側仕切り壁５３、保持部側連結壁５７、パネル側仕切り壁９３、パネル側連結壁９４、及びパネル９１によって囲まれた空間内に、２つの被検出部３０が配されている。
【００５１】
（排出口５８）
図２に示すように、保持部５０の底壁５０Ａには、保持部側仕切り壁５３よりも開口部９０寄りの位置に、開口部９０の開口方向と反対方向（下方）に開口する排出口５８が形成されている。本実施形態においては、回転操作部カバー５１の端縁に設けられている。排出口５８は、保持部側仕切り壁５３よりも下方の位置であって、フォトインタラプタ８５が配置された回路基板８０の左右の端部と、保持部５０の底壁との間に開口されている。この排出口５８は、フォトインタラプタ８５よりも下方の位置に設けられている。
【００５２】
（回転操作装置１０の組み付け）
回転操作装置１０の組み付けは、回転体１１の挿通孔２０に被検出部３０の挿通部３１を挿通して一体にし、保持部５０の所定の位置に組み付ける。次に、フォトインタラプタ８５が実装された回路基板８０の係止部通し孔８２に保持部５０の基板係止部６７を通して回路基板８０を組み付けることで、回転操作装置１０が形成される。そして、車両のパネル９１に回転操作装置１０を例えばネジ等の固定手段を用いて固定する。
【００５３】
（実施形態の作用、効果）
続いて、本実施形態の作用、効果について説明する。本実施形態に係る回転操作装置１０は、開口部９０を有するパネル９１と、パネル９１の面に沿う方向の回転軸９２を有し、開口部９０から全周のうちの一部が露出して回転操作可能とされる回転操作部１２と、回転操作部１２の回転角度に連動して変位する被検出部３０と、被検出部３０の変位量を検知して、変位量に応じた信号を出力するフォトインタラプタ８５と、開口部９０とフォトインタラプタ８５との間に設けられて、開口部９０とフォトインタラプタ８５との間を仕切る、保持部側仕切り壁５３及びパネル側仕切り壁９３と、を備える。
【００５４】
上記の構成によれば、開口部９０とフォトインタラプタ８５との間には保持部側仕切り壁５３及びパネル側仕切り壁９３が設けられているので、開口部９０からパネル９１内に侵入した異物は、保持部側仕切り壁５３及びパネル側仕切り壁９３によって遮られて、フォトインタラプタ８５にまで到達することが抑制される。これにより、フォトインタラプタ８５に異物が付着することを抑制することができる。
【００５５】
また、本実施形態によれば、パネル９１には、パネル９１から延出されたパネル側仕切り壁９３が設けられている。
【００５６】
上記のパネル側仕切り壁９３によって、異物がフォトインタラプタ８５に付着することを抑制することができる。
【００５７】
また、本実施形態によれば、被検出部３０を変位可能に保持する保持部５０を有し、保持部５０には、保持部５０から延出された保持部側仕切り壁５３が設けられている。
【００５８】
上記の保持部側仕切り壁５３によって、異物がフォトインタラプタ８５に付着することを抑制することができる。
【００５９】
また、本実施形態によれば、パネル９１には、パネル９１から延出されたパネル側仕切り壁９３が設けられており、パネル側仕切り壁９３と、保持部側仕切り壁５３とは、少なくとも一部がオーバーラップして配されている。
【００６０】
上記の構成によれば、パネル側仕切り壁９３と、保持部側仕切り壁５３とが、オーバーラップして配された部分においては、開口部９０からフォトインタラプタ８５に至る経路が入り組んだ構造になっている。これにより、異物がフォトインタラプタ８５に付着することを確実に抑制することができる。
【００６１】
また、本実施形態によれば、被検出部３０は、保持部側仕切り壁５３、保持部側連結壁５７、パネル側仕切り壁９３、パネル側連結壁９４、及びパネルによって囲まれた空間内に配されている。被検出部３０に異物が付着すると、被検出部３０が回転することによって、異物がフォトインタラプタ８５にまで運搬されてしまうことが懸念される。本実施形態によれば、被検出部３０が、保持部側仕切り壁５３、保持部側連結壁５７、パネル側仕切り壁９３、パネル側連結壁９４、及びパネル９１によって囲まれた空間内に配されているので、被検出部３０に異物が付着することが抑制される。これにより、フォトインタラプタ８５に異物が付着することを確実に抑制することができる。
【００６２】
また、本実施形態によれば、保持部５０には、保持部側仕切り壁５３よりも開口部９０寄りの位置に、開口部９０から侵入した異物を排出する排出口５８が、開口部９０の開口方向と反対方向に開口している。
【００６３】
上記の構成によれば、開口部９０から侵入した異物は、保持部側仕切り壁５３によってフォトインタラプタ８５へ到達することが抑制された後、排出口５８から排出される。これにより、開口部９０から侵入した異物が、保持部側仕切り壁５３の近傍に蓄積されることが抑制される。
【００６４】
また、本実施形態によれば、被検出部３０は、回転操作部１２に対して同軸で固定されて、回転操作部１２の回転角度に連動して回転する。
【００６５】
上記の構成によれば、被検出部３０は、回転操作部１２に対して同軸で固定されており、回転操作部１２から被検出部３０に回転を伝達するためのギヤを設ける必要がないため、装置の構成を簡素化することができる。
【００６６】
＜他の実施形態＞
本明細書に開示された技術は上記記述及び図面によって説明した実施形態に限定されるものではなく、例えば次のような実施形態も本明細書に開示された技術の技術的範囲に含まれる。
【００６７】
（１）本実施形態においては、パネル９１にパネル側仕切り壁９３が設けられており、保持部５０に保持部側仕切り壁５３が設けられる構成としたが、これに限られず、パネル９１及び保持部５０と異なる部材に仕切り壁を設けてもよいし、また、他の部材から独立した仕切り壁を、パネル９１の開口部９０とフォトインタラプタ８５との間の位置に取り付ける構成としてもよい。
【００６８】
（２）本実施形態においては、パネル側仕切り壁９３と保持部側仕切り壁５３とは少なくとも一部がオーバーラップして配される構成としたが、これに限られず、パネル側仕切り壁９３と保持部側仕切り壁５３とは、パネル９１の開口部９０とフォトインタラプタ８５とを結ぶ方向についてオーバーラップしない構成としてもよい。
【００６９】
（３）排出口５８は省略してもよい。
【００７０】
（４）本実施形態においては、被検出部３０は、回転操作部１２に対して同軸で固定される構成としたが、これに限られず、被検出部３０は、回転操作部１２の回転動作に連動して変位する構成であれば任意の構成を採用することが可能である。例えば、回転操作部１２の回転動作に連動して回転する複数のギヤを介して、被検出部３０が回転する構成としてもよい。また、例えば、公知のラック・アンド・ピニオン構造によって、回転操作部１２の回転動作に連動して、被検出部３０が平行移動する構成としてもよい。
【００７１】
（５）本実施形態においては、２つの回転操作部１２が備えられる構成としたが、これに限られず、１つの回転操作部１２を備える構成であってもよいし、また、３つ以上の回転操作部１２を備える構成であってもよい。
【００７２】
（６）被検出部３０の回転を検出する透過型の光学式センサであるフォトインタラプタを用いたがこれに限られない。例えば、反射型の光学式センサを用いてもよい。
【符号の説明】
【００７３】
１０：回転操作装置
１２：回転操作部
３０：被検出部
５０：保持部
５３：保持部側仕切り壁（仕切り壁）
５８：排出口
８５：フォトインタラプタ（センサ）
９０：開口部
９１：パネル
９２：回転軸
９３：パネル側仕切り壁（仕切り壁）
【図１】
2017130265.tif 000003
【図２】
2017130265.tif 000004
【図３】
2017130265.tif 000005
【図４】
2017130265.tif 000006
【図５】
2017130265.tif 000007
【図６】
2017130265.tif 000008
【図７】
2017130265.tif 000009
【図８】
2017130265.tif 000010
【図９】
2017130265.tif 000011
【図１０】
2017130265.tif 000012
【図１１】
2017130265.tif 000013
【図１２】
2017130265.tif 000014